(57)【要約】【課題】  記憶された通話信号の改竄や盗難などを防ぐ。【解決手段】  電話端末に関連して設けられた本発明の通話記録装置は、電話端末における通話信号を取得する通話信号取得手段と、上記通話信号取得手段により取得した通話信号を暗号化する通話信号暗号化手段と、上記通話信号暗号化手段によって暗号化された暗号化通話信号を記憶する記憶手段とを有する。ここで、暗号鍵と復号鍵とが異なる暗号化方式を適用し、通話信号を、電話端末に固有の暗号鍵により暗号化することが好ましい。【選択図】      図１
2008160539.tif 000002
【特許請求の範囲】
【請求項１】
電話端末における通話信号を取得する通話信号取得手段と、
上記通話信号取得手段により取得した通話信号を暗号化する通話信号暗号化手段と、
上記通話信号暗号化手段によって暗号化された暗号化通話信号を記憶する記憶手段と
を有することを特徴とする通話記録装置。
【請求項２】
上記通話信号暗号化手段は、暗号鍵と復号鍵とが異なる暗号化方式に従う、上記電話端末に固有の暗号鍵により暗号化することを特徴とする請求項１に記載の通話記録装置。
【請求項３】
当該通話記録装置が、受話器及び電話端末本体間に介挿されていることを特徴とする請求項１又は２に記載の通話記録装置。
【請求項４】
当該通話記録装置が、電話端末に組み込まれていることを特徴とする請求項１又は２に記載の通話記録装置。
【請求項５】
上記記憶手段は、着脱自在な記録媒体に記憶するものであることを特徴とする請求項１〜４のいずれかに記載の通話記録装置。
【請求項６】
上記通話信号取得手段は、送話信号及び受話信号の有音／無音判定部を有し、有音期間の送話信号及び受話信号を取得することを特徴とする請求項１〜５のいずれかに記載の通話記録装置。
【請求項７】
受話信号を記憶させる対向電話端末、又は、受話信号を記憶させない対向電話端末の識別情報を登録している特定対向端末情報記憶手段と、
今回の通話に係る対向電話端末の識別情報を取得する特定対向端末情報取得手段と、
取得された対向電話端末の識別情報が、上記特定対向端末情報記憶手段に登録されているか否かを照合し、その照合結果に応じて、上記通話信号取得手段による通話信号の取得の実行有無を定める取得制御手段と
をさらに有することを特徴とする請求項１〜６のいずれかに記載の通話記録装置。
【請求項８】
請求項１〜７のいずれかに記載の通話記録装置を有することを特徴とする電話端末。
【請求項９】
電話端末として機能させるソフトフォンプログラムが搭載されているコンピュータに併せて搭載される通話記録プログラムであって、
コンピュータを、
電話端末における通話信号を取得する通話信号取得手段と、
上記通話信号取得手段により取得した通話信号を暗号化する通話信号暗号化手段と、
上記通話信号暗号化手段によって暗号化された暗号化通話信号を記憶する記憶手段と
して機能させることを特徴とする通話記録プログラム。
【発明の詳細な説明】
【技術分野】
【０００１】
本発明は、通話記録装置、電話端末及び通話記録プログラムに関し、例えば、話者が意図することなく通話信号を記憶しようとしたものである。
【背景技術】
【０００２】
従来、電話機における通話の内容を録音する場合、電話機の使用者（話者）が通話開始前又は通話中に録音の設定操作を行い、これにより半導体メモリや磁気テープなどに通話信号を録音していた。
【０００３】
しかしながら、話者が、録音の必要性を通話の後から感じることもあった。例えば、こんにちのように、いわゆる「おれおれ詐欺」が多発している状況では、通話終了後に疑問を感じ、通話の内容を確認したいようなことも生じる。
【０００４】
特許文献１に記載の自動通話録音装置では、電話機の受話器がオフフックの状態になると自動的に通話内容を録音開始することが提案されており、通話終了後に、通話の内容を確認したいような場合に応じられるようになされている。
【特許文献１】特開平８−２８９００３号公報
【発明の開示】
【発明が解決しようとする課題】
【０００５】
上述した特許文献１に記載の自動通話録音装置では、通話信号をミニディスク用の信号に変換した後、ミニディスクに記録しており、そのため、再生・取り出しが容易であった。このことは、反面、録音信号の消失や改竄や盗難などが容易であることを意味し、通話の目的が不正、不法行為を行うことを意図した者との通話の記録としては不十分である。
【０００６】
そのため、記憶された通話信号の消失や改竄や盗難などを防ぐことができる通話記録装置、電話端末及び通話記録プログラムが望まれている。
【課題を解決するための手段】
【０００７】
第１の本発明の通話記録装置は、（１）電話端末における通話信号を取得する通話信号取得手段と、（２）上記通話信号取得手段により取得した通話信号を暗号化する通話信号暗号化手段と、（３）上記通話信号暗号化手段によって暗号化された暗号化通話信号を記憶する記憶手段とを有することを特徴とする。
【０００８】
第２の本発明の電話端末は、第１の本発明の通話記録装置を有することを特徴とする。
【０００９】
第３の本発明の通話記録プログラムは、電話端末として機能させるソフトフォンプログラムが搭載されているコンピュータに併せて搭載される通話記録プログラムであって、（０）コンピュータを、（１）電話端末における通話信号を取得する通話信号取得手段と、（２）上記通話信号取得手段により取得した通話信号を暗号化する通話信号暗号化手段と、（３）上記通話信号暗号化手段によって暗号化された暗号化通話信号を記憶する記憶手段として機能させることを特徴とする。
【発明の効果】
【００１０】
本発明によれば、自動的に記憶された通話信号の消失や改竄や盗難などを防ぐことができる。
【発明を実施するための最良の形態】
【００１１】
（Ａ）第１の実施形態
以下、本発明による通話記録装置、電話端末及び通話記録プログラムの第１の実施形態を、図面を参照しながら詳述する。
【００１２】
（Ａ−１）第１の実施形態の構成
図１は、第１の実施形態に係る通話記録装置の構成を、第１の実施形態に係る電話端末の構成と共に示すブロック図である。
【００１３】
図１において、第１の実施形態の電話端末である電話機１００は、既存の電話機に、第１の実施形態の通話記録装置１１０を付加したものである。なお、第１の実施形態の電話機１００がパソコン上などに実現されたソフトフォンである場合には、そのパソコンに、第１の実施形態の通話記録プログラムを搭載することによって、通話記録装置１１０として機能させるようにする。
【００１４】
電話機１００は、呼制御部１０１、回線終端部１０２、通話信号処理部１０３、受話器１０４などの一般的な電話端末の構成要素に加え（なお、図１では、キー入力部やディスプレイやオンオフフックの検出構成などの記載を省略している）、上述のように、通話記録装置１１０を内蔵する。
【００１５】
呼制御部１０１は、対向する電話機（電話端末）との通話路の確立や切断等の呼制御を実行するものである。この第１の実施形態の場合、呼制御部１０１は、通話路の確立や切断を、通話記録装置１１０内の後述する記録制御部１１２に通知する機能を有している。また、呼制御部１０１は、対向する電話機（電話端末）についての識別情報を、記録制御部１１２に通知する機能も有している。例えば、当該電話機１００がＩＰ電話機であれば、対向する電話機についての識別情報として、ＩＰアドレスやＭＡＣアドレスを与えるようにしても良い。また例えば、対向する電話機側から通知された電話番号を記録制御部１１２に通知するようにしても良い。
【００１６】
回線終端部１０２は、電話網１２０とのインターフェースの機能を担っている。回線終端部１０２は、例えば、電話網１２０がアナログ式電話網であれば、２線線路に対する直流電圧の制御若しくは検出や、その直流電圧に対する音声帯域の交流信号の重畳制御や交流信号の取り出しなどを行う。回線終端部１０２は、例えば、電話網１２０がＩＰ網であれば、通話用又は呼制御用のＩＰパケット授受や、ＩＰパケットの組立、分解などを行う。
【００１７】
通話信号処理部１０３は、受話信号や送話信号などの通話信号を処理するものである。例えば、増幅やフィルタリングを行う。また例えば、電話網１２０の種類によっては、アナログ信号及びデジタル信号間の変換や、信号圧縮及び信号伸長なども適宜行う。
【００１８】
受話器１０４は、スピーカ及びマイクロフォンを有し、通話信号処理部１０３から与えられた受話信号をスピーカから発音出力させ、また、マイクロフォンが捕捉した送話信号を通話信号処理部１０３に与えるものである。
【００１９】
通話記録装置１１０は、通話信号処理部１０３及び受話器１０４間で授受される通話信号（受話信号及び送話信号）を記憶するものである。通話記録装置１１０は、通話信号取得部１１１、記録制御部１１２、暗号化部１１３、メモリカードアクセス部１１４及び記録非対象者記憶部１１５を有する。
【００２０】
上述したように、通話記録装置１１０は、ＣＰＵと、ＣＰＵが実行する通話記録プログラムなどによって実現されたものであっても良い。
【００２１】
なお、電話機１００は、記録された通話信号（暗号化通話信号）の再生構成（通話再生装置）を備えていても良いものであるが、この第１の実施形態では、電話機１００が記録された通話信号の再生構成を備えないものとして説明する。
【００２２】
通話信号取得部１１１は、記録制御部１１２の制御下で、通話信号処理部１０３及び受話器１０４間で授受される通話信号、すなわち、受話信号及び送話信号をそれぞれ取り込むものである。通話信号処理部１０３及び受話器１０４間で授受される通話信号がアナログ信号の場合には、通話信号取得部１１１は、デジタル信号への変換も行う。
【００２３】
なお、上述した通話信号処理部１０３がデジタル信号の通話信号を取り扱うものであれば、通話信号取得部１１１は、通話信号処理部１０３からデジタル信号の通話信号を取り込むものであっても良い。
【００２４】
ここで、通話信号の記憶は、受話信号及び送話信号を別個に記憶するものであっても良く、受話信号だけを記憶するものであっても良く、受話信号及び送話信号を重畳した信号を記憶するものであっても良い。受話信号及び送話信号を重畳した信号を記憶する場合であれば、通話信号取得部１１１は、受話信号及び送話信号の重畳処理をも行う。なお、重畳処理は、デジタル信号への変換の前後、いずれのタイミングで行っても良い。
【００２５】
記録制御部１１２は、当該通話記録装置１１０の全体を制御するものである。すなわち、記録制御部１１２は、呼制御部１０１からの通知により認識できる通話路が確立している期間における通話信号をメモリカード１１４Ａに記憶させる制御を実行するものである。なお、着脱自在な記録媒体として、メモリカード以外のものも適用可能である。
【００２６】
なお、当該電話機１００が発信側でも着信側でも通話路が確立した場合に通話信号を記録するようにしても良く、当該電話機１００が着信側（又は発信側）で通話路が確立した場合にだけ通話信号を記録するようにしても良い。後者の場合であれば、呼制御部１０１がそのような条件を満たしたときだけ通話路の確立を通知しても良く、また、呼制御部１０１が通話路の確立と着信側か否かの情報を記録制御部１１２に通知し、記録制御部１１２が記録の可否を判断するようにしても良い。
【００２７】
また、記録制御部１１２は、記録非対象者記憶部１１５の格納内容を参照しつつ、対向する電話機の話者が、通話信号を記憶する対象者でないか否かを判別し、通話信号を記憶する対象者であるときだけ記録制御を実行する。
【００２８】
さらに、記録制御部１１２は、デジタル信号の通話信号を暗号化部１１３に与えて暗号化し、その暗号化通話信号をメモリカードアクセス部１１４に与えてメモリカード１１４Ａに記録させるものである。
【００２９】
暗号化部１１３は、記録制御部１１２の制御下で、記録制御部１１２から与えられたデジタル通話信号を暗号化し、制御部１１２へ暗号化通話信号を返信するものである。
【００３０】
ここで、暗号化方式は、例えば、暗号鍵と復号鍵とが異なる方式（例えば、公開鍵暗号化方式）とする。暗号化部１１３は、電話機１００に固有の暗号鍵（秘密鍵）１１３ａを保持し、この暗号鍵（秘密鍵）１１３ａを用いて暗号化する。例えば、通信装置の場合、各装置には固有の装置番号が割り当てられているが、電話機１００に固有の暗号鍵としてこのような固有の装置番号を用いる。
【００３１】
暗号化部１１３による暗号化は、通話開始から通話終了までの通話信号をバッファリングし、通話終了後に、一括して暗号化するようにしても良く、通話中に通話信号を逐次暗号化するようにしても良い。
【００３２】
記録制御部１１２は、暗号化通話信号に対し、内蔵するタイマ１１２ａによる通話時刻情報（通話開始時刻だけ、通話開始時刻及び通話時間、通話開始時刻及び通話終了時刻などのいずれか）や、当該電話機１００に係る使用者（話者）のパスワード等を含む書誌情報を付随させて、メモリカードアクセス部１１４に与えるものである。
【００３３】
メモリカードアクセス部１１４は、装填されている着脱自在なメモリカード１１４Ａをアクセスするものであり、この第１の実施形態の場合には、記録制御部１１２の制御下で、書誌情報を伴う暗号化通話信号を記録するものである。なお、メモリカードアクセス部１１４は、メモリカード１１４Ａへの記録のみを実行できる記録専用のものであっても良い。
【００３４】
記録非対象者記憶部１１５は、通話信号の記録が不要な対向電話機の識別情報を記憶しているものである。ここで、当該電話機１００の使用者は、図示しない入力部（電話機１００の入力部を流用するものであっても良い）などを用いて、記録非対象者の登録モードを指示した後、記録非対象者に係る対向電話機の識別情報を入力して登録させることができる。
【００３５】
図２は、通話再生装置１３０の機能的な構成を示すブロック図である。通話再生装置１３０は、パソコンなどの情報処理装置に、通話再生プログラムをインストールすることで構築されるものであるが、機能的には、図２に示すことができる。
【００３６】
例えば、通話記録装置１１０のメーカー又は販売会社が通話記録装置１１０（又は通話記録装置１１０を内蔵した電話機１００）を納品する際に、同時に、通話再生プログラムが供給される。
【００３７】
図２において、通話再生装置１３０は、再生指示部１３１、再生制御部１３２、復号化部１３３、メモリカードアクセス部１３４及びスピーカ部１３５を有する。
【００３８】
再生指示部１３１は、再生指示を入力させたり、上述した電話機１００に係る使用者のパスワード等を入力させたりするものである。
【００３９】
再生制御部１３２は、通話再生装置１３０の全体を制御しながら、メモリカード１１４Ａに記録されている通話信号を再生して発音出力させるものである。再生制御部１３２は、再生指示部１３１から再生指示があったときに再生動作を起動し、指示者をパスワード等で確認するものである。第１の実施形態では、パスワードはメモリカード１１４Ａから取り出すが、再生制御部１３２に予め登録しておくようにしても良い。なお、再生制御部１３２は、記録されている通話信号が複数の場合には、再生制御部１３２によって再生するものを選択させる動作を行うものである（全選択も可能とする）。例えば、メモリカード１１４Ａから全ての通話信号の通話時刻情報を読み出して、再生指示部１３１を構成しているディスプレイに一覧表示させて再生させるものを選択させる。
【００４０】
再生制御部１３２は、メモリカードアクセス部１３４を介して、再生対象の通話信号（暗号化通話信号）をメモリカード１１４Ａから読み出して復号化部１３３に与え、復号化部１３３から返信された復号がなされた通話信号をスピーカ部１３５に与えるものである。
【００４１】
復号化部１３３は、上述した暗号化部１１３が利用する暗号鍵１１３ａに対応した復号鍵（公開鍵）１３３ａを有し、再生制御部１３２から与えられた暗号化通話信号を、復号鍵１３３ａを用いて復号し、得られた通話信号を再生制御部１３２に与えるものである。
【００４２】
メモリカードアクセス部１３４は、再生制御部１３２の制御下で、装填されているメモリカード１１４Ａから暗号化通話信号を読み出すものである。なお、メモリカードアクセス部１３４を読み出し専用に構築しても良い。
【００４３】
スピーカ部１３５は、再生制御部１３２から与えられた通話信号を発音出力するものである。
【００４４】
（Ａ−２）第１の実施形態の動作
次に、第１の実施形態に係る電話機１００の動作、及び、第１の実施形態に係る通話再生装置１３０の動作を、図面を参照しながら、この順に説明する。
【００４５】
図３は、電話機１００における通話信号の記録動作を示すフローチャートである。
【００４６】
当該電話機１００が発信側又は着信側であろうと、所定の呼制御シーケンスによって、対向する電話機との通話路が確立すると、呼制御部１０１は、対向する電話機の識別情報を付随させて、通話路の確立を記録制御部１１２に通知する（Ｓ２００）。
【００４７】
このとき、記録制御部１１２は、対向する電話機の識別情報と記録非対象者記憶部１１５の格納内容との照合により、通話信号の記録が不要か否かを判別する（Ｓ２０１）。通話信号の記録が不要な場合には、記録制御部１１２は、通話信号の記録制御を実行しない。
【００４８】
これに対して、通話信号の記録が必要な場合には、記録制御部１１２は、通話信号取得部１１１から通話信号を取り込んで暗号化部１１３に与え、暗号化部１１３から返信された暗号化通話信号を書誌情報と共にメモリカードアクセス部１１４に与えてメモリカード１１４Ａに記録させ、このような動作を繰返し実行させる（Ｓ２０２〜Ｓ２０４）。
【００４９】
このような通話信号を記録させる動作を繰返し実行している最中においては、記録制御部１１２は、呼制御部１０１から通話路の切断通知が与えられることを監視しており（Ｓ２０５）、呼制御部１０１から通話路の切断通知が与えられると、記録制御部１１２は、通話信号の記録動作を終了させ（Ｓ２０６；終了時刻の記録などを行っても良い）、図３に示す一連の動作を終了する。
【００５０】
なお、メモリカード１１４Ａに対する記録は、空き容量があるうちは空いた領域になされ、空き容量がなくなると、記録されている最も古い通話信号の領域に上書きすることでなされる。
【００５１】
図４は、通話再生装置１３０における暗号化通話信号の再生動作を示すフローチャートである。
【００５２】
通話再生装置１３０の再生制御部１３２は、再生指示部１３１から再生の指示が与えられると、パスワードの入力を求め、入力されたパスワードを取り込み（Ｓ３００）、メモリカードアクセス部１３４を介してメモリカード１１４Ａに記録されているパスワードを取り出して照合する（Ｓ３０１）。
【００５３】
なお、再生指示されたときに、メモリカードアクセス部１３４にメモリカード１１４Ａが装填されているか否かを確認し、装填されていない場合には、メモリカード１１４Ａの装填を促すようにしても良い。また、照合に供する基準のパスワードを通話再生装置１３０に登録しておいてそれを用いるようにしても良い。さらに、照合に供する基準情報を通話再生装置１３０に登録しておく方法を適用する場合であれば、指紋認証などの個体認証方法を適用するようにしても良い。
【００５４】
入力されたパスワードがメモリカード１１４Ａから取り出したものと合致しないと、再生制御部１３２は、再生動作を直ちに終了させる。これに対して、入力されたパスワードがメモリカード１１４Ａから取り出したものと合致すると、再生制御部１３２は、メモリカードアクセス部１３４を介してメモリカード１１４Ａに記録されている通話時刻情報を読み出して、再生指示部１３１を構成しているディスプレイに一覧表示させて再生させるものを選択させる（Ｓ３０２）。
【００５５】
そして、再生制御部１３２は、メモリカードアクセス部１３４を介して、再生対象の暗号化通話信号をメモリカード１１４Ａから読み出して復号化部１３３に与え（Ｓ３０３）、復号化部１３３によって復号させ（Ｓ３０４）、復号された通話信号をスピーカ部１３５から発音出力させる（Ｓ３０５）。再生制御部１３２は、再生が指示された通話信号を全て再生すると（Ｓ３０６で肯定結果）、一連の再生動作を終了させる。
【００５６】
（Ａ−３）第１の実施形態の効果
第１の実施形態によれば、電話機１００における全ての通話の内容を暗号化して記録できる。その結果、電話による詐欺や、通信販売における取引、迷惑電話などによる被害の状況を証拠として保存することができ、被害の防止や対策に利用することが可能になると共に、通話記録の盗難や改竄や消失に対処することが可能となる。
【００５７】
また、メモリカード１１４Ａを記録媒体としているので、通話記録をパソコン等の外部装置に移動させることができる。例えば、外部装置における大容量記憶装置に通話記録を移動させた場合には長期間の通話記録を保存することも可能となる。
【００５８】
さらに、所定の復号鍵により復号される通話記録は、電話機１００の固有の暗号鍵により暗号化された通話信号でなければならないので、メモリカード１１４Ａにより、別の装置に通話信号が移動されたとしても、改竄された通話記録であるか否かを容易に判断することができる。また、暗号鍵が、電話機１００の中にしか存在しないので、電話機１００の使用者本人も、通話記録を改竄していないことを証明できる。例えば、通話記録を犯罪被害等の証拠として使用する際に、より信憑性の高い証拠となる。
【００５９】
さらにまた、記録が不要な相手端末情報を登録しておき、そのような端末話者との通話は記録しないようにしたので、記憶容量を有効に活用することができる。
【００６０】
（Ｂ）第２の実施形態
次に、本発明による通話記録装置、電話端末及び通話記録プログラムの第２の実施形態を、図面を参照しながら詳述する。
【００６１】
第１の実施形態では、メモリカードを介して、暗号化通話信号を通話再生装置に与えるものであった。この第２の実施形態は、通信によって、暗号化通話信号を通話再生装置に与えるものである。
【００６２】
図５は、第２の実施形態における通話送信装置１００Ａ及び通話受信記録再生装置１３０Ａを示すブロック図であり、上述した図１及び図２との同一、対応部分には同一、対応符号を付して示している。なお、図５では電話機の構成を省略しているが、第２の実施形態の通話送信装置１００Ａは電話機に内蔵されているものである。
【００６３】
図５において、通話送信装置１００Ａ及び通話受信記録再生装置１３０Ａ間はケーブルによって接続されている。なお、無線回線による１対１の接続であっても良く、さらには、ＬＡＮ等のネットワークを介した接続であっても良い。
【００６４】
第２の実施形態の通話送信装置１００Ａは、第１の実施形態の通話記録装置１００におけるメモリカードアクセス部１１４が通話送信部１１６に置き換えられたものである。通話送信部１１６は、記録制御部１１２の制御下で、暗号化通話信号を通話受信記録再生装置１３０Ａに送信するものである。
【００６５】
第２の実施形態の通話受信記録再生装置１３０Ａは、第１の実施形態の通話再生装置１３０におけるメモリカードアクセス部１３４が通話受信部１３６及び通話記憶部１３７に置き換えられたものである。通話受信部１３６は、通話送信装置１００Ａから送信されてきた暗号化通話信号を受信し、通話記憶部１３７に格納するものである。通話記憶部１３７は、暗号化通話信号を記憶する大容量の記憶装置である。なお、通話記憶部１３７からの暗号化通話信号の読み出し制御は、再生制御部１３２によってなされる。
【００６６】
以上のように、第２の実施形態は、暗号化通話信号を電話機内蔵の通話送信装置１００Ａから、電話機とは異なる装置上に構成された通話受信記録再生装置１３０Ａへ、暗号化通話信号を送信し、通話受信記録再生装置１３０Ａにおいて暗号化通話信号を記憶するものである。
【００６７】
第２の実施形態によっても、第１の実施形態と同様な効果を得ることができる。すなわち、通話記録をパソコン等の外部装置に移動させる方法が第１の実施形態と異なっているだけであり、長期間の通話記録を保存することも可能である、という効果は同様に奏することができる。
【００６８】
（Ｃ）他の実施形態
本発明は、上記各実施形態に限定されるものではなく、以下に例示するような変形実施形態も挙げることができる。
【００６９】
本発明が適用される電話端末の種類は限定されるものではない。アナログ電話機、ＩＰ電話機、ソフトフォンなどの固定電話機の他、携帯電話機であっても良く、また、ファクシミリ端末や複合電話端末における電話機能部であっても良い。
【００７０】
さらに、テレビ電話機であっても良い。テレビ電話機の場合にも、音声信号だけを記録するようにしても良く、音声信号及び画像信号を通話信号として記録するようにしても良い。音声信号及び画像信号を記録する場合において、音声信号だけについて暗号化を行うようにしても良く（例えば、画像信号については圧縮処理を行う）、音声信号及び画像信号共に暗号化を行うようにしても良い。
【００７１】
上記各実施形態では、通話記録装置１００又は通話送信装置１００Ａが電話機に内蔵されたものであったが、電話機１００の周辺機器として通話記録装置１００又は通話送信装置１００Ａを付加するようにしても良い。例えば、受話器と電話機本体との間に通話記録装置１００又は通話送信装置１００Ａを介挿させたり、電話機と電話網との間に通話記録装置１００又は通話送信装置１００Ａを介挿させたりしても良い。このようにした場合には、電話機の構成を変更することは不要となる。
【００７２】
また、上記各実施形態では、通話記録装置１００又は通話送信装置１００Ａが通話路の確立、切断の情報を呼制御部１０１から得るものを示したが、自律的に検出するようにしても良い。例えば、受話器と電話機本体との間の信号線や、電話機と電話網との間の信号線における電圧や信号の変化などを応じて、通話路の確立、切断を検出する。オフフックを通話路の確立として捉えても良く、ＲＢＴ信号の終了を通話路の確立として捉えても良い。オンフックを通話路の切断として捉えても良い。また、有効無音検出手段を設け、通話路切断状態としていた検出状態における有音検出を通話路の確立として捉え、通話路確立状態としていた検出状態における所定期間以上の無音検出を通話路の切断として捉えるようにしても良い。
【００７３】
なお、通話路の確立期間でも有効無音検出手段を利用し、有音期間のみ、通話信号の記録を行うようにしても良く、このようにすると記憶容量を有効に利用できる。
【００７４】
ここで、送話信号及び受話信号を構成した通話信号に対して有効無音検出手段を適用すると、構成を簡単なものとすることができる。
【００７５】
さらに、上記各実施形態では、電話機が記録された通話信号の再生機能を備えないものを示したが、電話機に記録された通話信号の再生機能を設けるようにしても良い。
【００７６】
第１の実施形態においては、電話機が有する通話信号の記憶部が着脱自在な記録媒体であるものを示したが、ハードディスクなどの固定型の記憶装置を用いても良い。第２の実施形態においても、電話機が送信構成に加え、記憶部を有していても良い。
【００７７】
第２の実施形態においては、暗号化を通話送信装置側で行うものを示したが、暗号化を通話受信記録再生装置側で行うようにしても良い。
【００７８】
上記各実施形態では、通話を記録しない相手端末を登録しておくものを示したが、これに代え、通話を記録する相手端末を登録するようにしても良い。この場合において、発信者番号の通知を行っていない場合に通話を記録するとか、市外局番の相手端末の場合に通話を記録するとかグループ登録を可能とするようにしても良い。
【００７９】
上記各実施形態において、通話の開始又は終了の時刻、通話時間、相手端末の識別情報などの情報も記録するようにしても良い。このような情報の記憶方法としては、例えば、メモリカードに通話信号を記憶する際に、その格納ファイルの管理情報（ファイル名、タグ情報など）に記憶する方法や、通話信号に音声信号として付加する方法などを挙げることができる。また、相手端末の識別情報などで、通話信号を群分けするようにしても良い。
【００８０】
上記各実施形態においては、通話信号を記録するのみであったが、通話が開始された後に、音声合成機能などにより、通話は記録されている旨の音声信号を相手端末に自動的に送信するようにしても良い。このようにすると、通信相手に通話は記録されている旨を伝えることができるので、電話による犯罪被害等の防止効果を高めることができる。
【図面の簡単な説明】
【００８１】
【図１】第１の実施形態に係る電話機及び通話記録装置の構成を示すブロック図である。
【図２】第１の実施形態に係る通話再生装置の構成を示すブロック図である。
【図３】第１の実施形態の通話信号の記録動作を示すフローチャートである。
【図４】第１の実施形態の通話信号の再生動作を示すフローチャートである。
【図５】第２の実施形態に係る通話送信装置及び通話受信記録再生装置の構成を示すブロック図である。
【符号の説明】
【００８２】
１００…電話機、１０１…呼制御部、１１０…通話記録装置、１１１…通話信号取得部、１１２…記録制御部、１１３…暗号化部、１１４…メモリカードアクセス部、１１５…記録非対象者記憶部、１１６…通話送信部、１３１…再生指示部、１３２…再生制御部、１３３…復号化部、１３４…メモリカードアクセス部、１３５…スピーカ部、１３６…通話受信部、１３７…通話記憶部。
【図１】
2008160539.tif 000003
【図２】
2008160539.tif 000004
【図３】
2008160539.tif 000005
【図４】
2008160539.tif 000006
【図５】
2008160539.tif 000007